(57)【特許請求の範囲】
【請求項１】
家屋１の玄関の手前に風除室２を設け、風除室２に通ずる内側ドア３及び外側ドア４を設け、通行人が家屋１内から風除室２に向かう時に感知するセンサー（ａ）５を設け、通行人が風除室２から家屋１内に向かう時に感知するセンサー（ｂ）６を設け、センサー（ａ）５及びセンサー（ｂ）６により内側ドア３を開閉する様にすると共に、通行人が風除室２から外界に向かう時に感知するセンサー（ｃ）７を設け、通行人が外界から風除室２に向かう時に感知するセンサー（ｄ）８を設け、センサー（ｃ）７及びセンサー（ｄ）８により外側ドア４を開閉する様にし、スイッチ１１を押すことで動作するリレー回路９を設け、リレー回路９によりセンサー（ｂ）６とセンサー（ｃ）７及びセンサー（ｄ）８の動作を停止させる様にした拘束装置において、センサー（ａ）５、センサー（ｂ）６、センサー（ｃ）７、及びセンサー（ｄ）８により動作する内側ドア３や外側ドア４に関する構成とは独立して構成するモニター回路２１及び、風除室２の入室直後に感知できるセンサー（ｅ）２２を設け、モニター回路２１はセンサー（ｅ）２２が通行人を感知してリモコン１０上の発光ダイオードの点灯により知らせる構成にして、これにより犯人が風除室２に入室した時点で犯人を認識した居住者がリモコン１０上のスイッチ１１を押す様にし、リレー回路９により動作するモーター回路２３を設け、スイッチ１１を押すことでモーターが逆回転に切り替わる様にして、スイッチ１１を押すタイミングの精度を高めると共に内側ドア３の閉鎖時間の短縮ができることを特徴とする拘束装置。
【発明の詳細な説明】
【０００１】
【発明の属する技術分野】
この発明は店舗等の家屋内で犯行をした犯人を拘束する装置に関するものである。
【０００２】
【従来の技術】
逃走する犯人に対して効果を発揮する装置としては、犯人の体に塗料を付着させるカラーボールがある。
【０００３】
【発明が解決しようとする課題】
カラーボールの場合は、これを犯人に命中させることにより犯人の特定ができる点で効果的である。しかし、現実に逃走する犯人に向けてカラーボールを投げて命中させることは、投球に慣れた者においても至難なことである。その理由としては、動いている小さな的を狙うことには困難性があること、又、犯罪の現場での状況から、投球者は精神的な興奮状態にあるため命中確率が低下するという点が考えられる。その他の問題点として、犯人に命中したとしてもこれを拘束することまでは不可能であるということ、又、命中した場合でも時間的な経過が長びけば証拠隠滅が図られてしまうことが挙げられる。なお、犯人を木刀等の道具で応戦すれば障害事件に発展してしまう危惧があり、咄嗟に素手で取りおさえようとすれば犯人の用意した凶器等で被害を被ることも想定できる。上述のカラーボールの場合でも、ボールを投げる行為自体が犯人を逆上させるものであるから非常に危険である。つまり、居住者の安全が確保された状況で犯人を傷付けることなく拘束できる装置とすることがその課題となる。
【０００４】
【課題を解決するための手段】
家屋１に風除室２を設ける。又、風除室２に通ずる内側ドア３及び外側ドア４を設ける。又、内側ドア３を開閉させるためのセンサー（ａ）５及びセンサー（ｂ）６を設ける。又、外側ドア４を開閉させるためのセンサー（ｃ）７及びセンサー（ｄ）８を設ける。又、センサー（ｂ）６とセンサー（ｃ）７及びセンサー（ｄ）８の動作を停止させるためのリレー回路９を設ける様にする。
【０００５】
【発明の実施の形態】
図１に示すものは家屋内の見取り図として金融機関を例に挙げ、本発明の構成のものを実施する配置場所等を掲げたものである。なお、図１においては施設名称を家屋として扱い、銀行等という具体的な表記は控えている。図１に示す様に家屋１の玄関の手前に風除室２を設け、又、風除室２に通ずる内側ドア３及び外側ドア４を設けている。この内側ドア３は家屋１内と風除室２とを往来するためのものであり、外側ドア４は外界と風除室２とを往来するためのものであるということになる。内側ドア３及び外側ドア４は引き戸開閉式の自動ドアの構成を備えているため、通行人を感知するためのセンサーを備えている。つまり、内側ドア３にはセンサー（ａ）５とセンサー（ｂ）６を設け、外側ドア４にはセンサー（ｃ）７とセンサー（ｄ）８を設けている。センサー（ａ）５は通行人が家屋１内から風除室２に向かう時に感知するものであり、センサー（ｂ）６は通行人が風除室２から家屋１内に向かう時に感知するものである。同様にセンサー（ｃ）７は通行人が風除室２から外界に向かう時に感知するものであり、センサー（ｄ）８は外界から風除室２に向かう時に感知するものである。この家屋１である金融機関が強盗の被害に遭遇した状況を想定する。犯人は店内で金銭を奪い外界に逃げ去るために内側ドア３方向に進むことになる。センサー（ａ）５が通行人である犯人を感知して内側ドア３を開放し、続いて風除室２を通過後、センサー（ｃ）７が犯人を感知して外側ドア３を開放することで逃走が可能となる。そこで図１においてはセンサーの動作を制御するリレー回路９を設けている。センサー（ａ）５が犯人を感知して内側ドア３を開放する時点までは通常の状況と同じであるが、犯人が風除室２に入室した時点でリレー回路９を動作させることで犯人を拘束する状況に変えることができる。つまり、犯人が風除室２に入室した時点で居住者である行員がリモコン１０上のスイッチ１１を押すことでフリップフロップ回路１２をセットしてリレー回路９を動作させる。これによりセンサー（ｂ）６とセンサー（ｃ）７及びセンサー（ｄ）８の動作が停止する。風除室２に入室した犯人は外側ドア４に向かうが、センサー（ｃ）７の動作が停止しているため、外側ドア４は閉鎖されたままの状態である。そこで犯人は家屋１内に戻ろうとした場合でもセンサー（ｂ）６の動作が停止しているため、内側ドア３は閉鎖されたままの状態である。つまり、スイッチ１１を押すことにより犯人を風除室２内に拘束したことになるが、この拘束の手段は上述で触れた、居住者の安全が確保された状況で犯人を傷付けることなく拘束するという課題を解決したことになる。このリモコン１０の設置場所は犯人が風除室２に入室したことを確認し易いカウンター１３近隣の他、防犯カメラ１４の映像を確認できるモニター室１５が適切である。つまり、犯人の威圧でカウンター１３近隣の行員がスイッチ１１を押せない状況においても、犯人の眼光が及ばないモニター室１５内の行員が防犯カメラ１４の映像を見ながら確実にスイッチ１１を押すことにより犯人を拘束できることになる。なお、犯人を風除室２に拘束した場合でも、その直後にこの強盗事件を知らない客が風除室２に入室することで、犯人がドアの開放の一瞬をついて脱出してしまう懸念が発生する。そのためリレー回路９の動作時にはセンサー（ｄ）８の動作も停止させて、来客が外側ドア４を開放して風除室２に入室することを拒絶することができる。なお、センサー（ａ）５はリレー回路９の動作の影響を受けない構成、つまり、常に動作状態としたのには次の理由がある。強盗事件を認識した店内の行員や客が犯人のいる風除室２に入室する懸念はないというのも理由であるが、大きな理由は風除室２に拘束した犯人を逮捕する際にメリットがあるためである。外側ドア４は閉鎖されているため、駆けつけた警官は社用出入り口１６から店内に入ることになるが、その後警官は動作状態のセンサー（ａ）５に感知されることで風除室２に入室して逮捕できることになる。つまり、犯人を拘束した状態で逮捕できることが特徴となる。その点、リレー回路９によりセンサー（ａ）５の動作を停止してしまうと、逮捕はスイッチ１７によりフリップフロップ回路１２をリセットしてからになるため、犯人は隙を見て内側ドア３又は、外側ドア４から逃走してしまう恐れがある。なお、逮捕を円滑に行うためには風除室２に接する天井窓等からの閃光弾等の投下により犯人の行動を緩慢にさせてから警官が入室することも手段の一つである。
【０００６】
【実施例】
図２に示すものは本発明の構成を示すブロック図である。この図においてはリモコン１０にスイッチ１８を設けている。犯人が風除室２に入室した時点でリレー回路９を動作させることで外界の来客を拒絶することができるが、その時点で来客が既に風除室２に入室していた場合、つまり、風除室２内で犯人と来客が居合わせてしまった場合にスイッチ１８を押して、これに対応することになる。犯人は来客を人質に取ることになり危険な状態であるが、スイッチ１８を押すことによりフリップフロップ回路１９をセットしてセンサー（ｃ）７のみ感知動作を復帰させる様にしたものである。なお、２０はセンサー（ｃ）の動作復帰状態に切り替えるためのリレー回路である。これにより外側ドア４が開放されることになるが、犯人は逃走に人質連れは煩わしいため来客を解放して逃走することになる。つまり、犯人を逃すことにはなるが、来客の安全は確保できることになる。なお、この場合はセンサー（ｂ）６の動作復帰による内側ドア３の開放は避けるべきである。それは拘束されたことを知った犯人は逆上して店内の行員や客に危害を及ぼすことも想定できるためである。なお、リモコン１０上のスイッチ１７はフリップフロップ回路１９のリセットも兼用している。
又、図２においては風除室２に拘束させることの確実性を高めるための構成を備えている。つまり、犯人を確実に拘束するためにはスイッチ１１を押すタイミングが適切であること、又、内側ドア３の閉鎖時間が短縮できることが要点となる。スイッチ１１の押すタイミングの精度を高めるために、最適なタイミングをリモコン１０上の発光ダイオードの点灯により知らせるモニター回路２１を設けている。このモニター回路２１はセンサー（ｅ）２２が犯人を感知して動作するものであるが、このセンサー（ｅ）２２を配置する場所が重要となる。センサー（ｅ）２２をセンサー（ａ）５の近隣に設けた場合は、例えば犯人が風除室２に入る手前で後退やもたつきの行為があると、風除室２に入室する前にセンサー（ｄ）８の動作停止により何か作為があるのではないかと犯人に察知されてしまう恐れが生じることもある。つまり、犯人が風除室２に入室するまではドア開閉の動作異変を察知されない様にすることが必要であり、そのためセンサー（ｅ）２２は入室直後に感知できるセンサー（ｂ）６の近隣に配置すべきである。実際にはセンサー（ｅ）２２はセンサー（ｂ）６を収めたケースに組み込み、拘束装置の存在を知られない様にする配慮が大切である。又、ドアが閉まるまではタイムラグがあり、これが犯人を風除室２から抜け出る機会を与えてしまうため、図２においては発行ダイオードの点灯を確認後にスイッチ１１を押すことで、リレー回路９の動作によりモーター回路２３が動作する様にする。このモーター回路２３はスイッチ１１を押すことで内側ドア３を閉鎖するためにモーターを逆回転に切り替えるためにソレノイド等を動作させる回路である。このためセンサー（ｅ）２２で感知後は即座に内側ドア３を閉鎖できるため、タイムラグによる脱出は不可能となる。このモーター回路２３もスイッチ１７を押すことで同時リセットされる。
【０００７】
【発明の効果】
警官が犯人を逮捕する際は内側ドア３から入室するため、警官の入室時に犯人が隙を見て風除室２から脱出した場合でも、社用出入り口１６を閉鎖することで外界への逃走を防止できる。なお、この場合は店内の行員等が人質に取られることもあるので、犯人逮捕時には事前に店内の人々を社用出入り口１６から外界に避難させておくことが必要である。又、スイッチ１８を押してリレー回路２０を動作させることで犯人を逃してしまうことになるが、それまでの拘束時間を稼げることで外界での犯人逮捕の確率を高めることができる。又、モーター回路２３による内側ドア３の閉鎖時間の短縮により、事件に気付かない店内の客の風除室２への入室を拒絶することが可能である。なお、金融機関の場合は社用出入り口１６においても拘束装置を設置する程の徹底が必要である。又、この拘束装置は防犯カメラ１４と連動して有効活用が図られる他、風除室２等の既存の設備を利用するため経済的である。なお、風除室２は一般に普及しているものであり、外観上も風除室２そのものであるため、拘束装置の存在を悟られることはない。又、この拘束装置は強盗等の犯罪における抑止効果も期待できるため、多くの家屋１内にセキュリティー装置として設置することも有効である。
【図面の簡単な説明】
【図１】本発明の構成を配置した家屋１内の見取り図
【図２】本発明の構成を示すブロック図
【符号の説明】
１  は家屋    ２  は風除室    ３  は内側ドア    ４  は外側ドア
５  はセンサー（ａ）    ６  はセンサー（ｂ）    ７  はセンサー（ｃ）
８  はセンサー（ｄ）    ９  はリレー回路    １０  はリモコン
１１  はスイッチ    １２  はフリップフロップ回路    １３  はカウンター
１４  は防犯カメラ    １５  はモニター室    １６  は社用出入り口
１７  はスイッチ    １８  はスイッチ    １９  はフリップフロップ回路
２０  はリレー回路    ２１  はモニター回路    ２２  はセンサー（ｅ）
２３  はモーター回路
【図１】
0003845815.tif 000002
【図２】
0003845815.tif 000003